(57)【特許請求の範囲】
【請求項１】
少なくとも商品の税抜き単価および税種別が記憶される商品情報ファイルと、
この商品情報ファイル内の商品のうち、指定される商品の税抜き単価から同商品の税込み価格を求め、求めた税込み価格を、同商品に関する登録画面の単価表示領域に、通常の表示状態で表示する手段と、
置数の入力手段と、
この入力手段で置数が入力されると、前記指定された商品が内税であるか外税であるかを前記商品情報ファイル内の税種別から判定する手段と、
この判定の結果が外税であるとき、前記入力手段で入力される置数を、前記登録画面の単価表示領域に通常の表示状態で表示する手段と、
前記判定の結果が内税であるとき、前記入力手段で入力される置数を、前記登録画面の単価表示領域に、税抜き単価として通常と異なる表示状態で表示する手段と、
この税抜き単価の表示に際し、変更確定の操作に応じて、その表示中の税抜き単価から税込み単価を算出する手段と、
この算出した税込み単価を、前記登録画面の単価表示領域に通常の表示状態で表示する手段と、
ラベル発行の操作があったとき、前記登録画面の単価表示領域に表示されている数値が通常の表示状態であるか判定する手段と、
この判定の結果が通常の表示状態であるとき、前記登録画面の単価表示領域に表示されている数値が税込み単価として含まれるラベルを発行する手段と、
を備えることを特徴とする商品データ処理装置。
【請求項２】
前記判定の結果が通常の表示状態でないとき、エラーを表示する手段と、
をさらに備えることを特徴とする請求項１記載の商品データ処理装置。
【請求項３】
前記登録画面は、前記単価表示領域のほかに、重量を表示する重量表示領域、および値段を表示する値段表示領域を有し、
商品の重量を計量する計量部と、
この軽量部で計量される商品の重量を前記重量表示領域で表示する手段と、
前記軽量部で計量される商品の重量と前記単価表示領域で表示される単価とに基づく値段を前記値段表示領域で表示する手段と、
をさらに備えることを特徴とする請求項１または請求項２記載の商品データ処理装置。
【請求項４】
前記入力手段で置数が入力された後に、置数の入力以外の操作があった場合には、その操作に対応する処理を行うとともに、前記登録画面の単価表示領域の表示内容を置数が入力される前の値に戻す手段、
をさらに備えることを特徴とする請求項１乃至請求項３のいずれかに記載の商品データ処理装置。
【発明の詳細な説明】
【技術分野】
【０００１】
本発明は、税抜き単価がＰＬＵ（プライス・ルック・アップ）に設定されている内税商品の単価を呼び出した際に、税込み単価や値段を自動的に計算して表示する商品データ処理装置に関する。
【背景技術】
【０００２】
商品には内税商品と外税商品がある。内税商品はその価格で商品が売買され、外税商品はその価格に税金分が上乗せされて売買されていた。
【０００３】
内税商品の場合はＰＬＵには税込みの価格が設定され、外税商品の場合はＰＬＵには税抜きの価格が設定されている。
【０００４】
例えば、内税商品の価格を変更する場合には、税込みの価格をそのまま入力していた。
【０００５】
なお、単価変更について記載されているものがある（特許文献１を参照）。  
【特許文献１】特開平５−３５９７３号公報
【発明の開示】
【発明が解決しようとする課題】
【０００６】
例えば、内税商品であっても、仕入れが税抜きであるために、ＰＬＵには税抜き単価を設定したいという要望がある。
【０００７】
このように内税商品に対して税抜き単価をＰＬＵに設定した場合について考察する。内税商品に対して税抜き単価をＰＬＵに設定して運用する場合、商品登録モードでの商品の表示方法として、商品呼び出し時にＰＬＵに設定されている税抜き単価に対して税率を計算した後に、税込み単価（あるいは値段）を表示する方法がある。
【０００８】
また、ＰＬＵに設定されている商品の単価を変更する場合には、オペレータが税率を考慮して単価変更するのは難しいため、税抜き単価を入力する。そして、税抜き単価を入力した後は、税計算を行う『確定』キーを操作する。
【０００９】
このような場合に、単価を表示する単価欄に表示されている単価が税抜き単価であるのか税込み単価であるのかが一見して分かり難いという問題がある。
【００１０】
本発明は上記の点に鑑みてなされたもので、その目的は、単価変更をする際に表示される単価が税込みであるのか税抜きであるのか一見して分かり易くすることができる商品データ処理装置を提供することにある。
【課題を解決するための手段】
【００１１】
請求項１に係る発明は、少なくとも商品の税抜き単価および税種別が記憶される商品情報ファイルと、この商品情報ファイル内の商品のうち、指定される商品の税抜き単価から同商品の税込み価格を求め、求めた税込み価格を、同商品に関する登録画面の単価表示領域に、通常の表示状態で表示する手段と、置数の入力手段と、この入力手段で置数が入力されると、前記指定された商品が内税であるか外税であるかを前記商品情報ファイル内の税種別から判定する手段と、この判定の結果が外税であるとき、前記入力手段で入力される置数を、前記登録画面の単価表示領域に通常の表示状態で表示する手段と、前記判定の結果が内税であるとき、前記入力手段で入力される置数を、前記登録画面の単価表示領域に、税抜き単価として通常と異なる表示状態で表示する手段と、この税抜き単価の表示に際し、変更確定の操作に応じて、その表示中の税抜き単価から税込み単価を算出する手段と、この算出した税込み単価を、前記登録画面の単価表示領域に通常の表示状態で表示する手段と、ラベル発行の操作があったとき、前記登録画面の単価表示領域に表示されている数値が通常の表示状態であるか判定する手段と、この判定の結果が通常の表示状態であるとき、前記登録画面の単価表示領域に表示されている数値が税込み単価として含まれるラベルを発行する手段と、を備える。
【発明の効果】
【００１２】
本発明によれば、内税商品の価格が税抜きでＰＬＵに設定されている場合、税抜き価格を表示する表示状態と税込み価格を表示する表示状態とを異ならせるようにしたので、表示されている価格が税抜き価格であるのか税込み価格であるのかを視認することができる。
【発明を実施するための最良の形態】
【００１３】
以下、図面を参照して本発明の一実施の形態について説明する。図１は商品データ処理装置としての電子料金秤の斜視図、図２は図１のキー入力部を示す図、図３は同電子料金秤のシステム構成を示すブロック図である。
【００１４】
図１において、１は電子料金秤、２は各種データを表示する表示部、３はＬＥＤ（発光素子）、４は置数入力手段としてのキーボード、５はラベル発行口、６は商品の重量を計量し重量データを出力するロードセルユニット、７は商品を計量する秤部である。
【００１５】
次に、図２を参照してキーボード４について説明する。キー入力部４には、置数データのクリアを行う「消」キー４ａ、ラベルを発行するときに操作する「発行」キー４ｂ、風袋量を登録およびクリアする「風」キー４ｃ、訂正を行う「訂正」キー４ｄ、定額品番計量品番の切換をするときに操作する「定額／計量」キー４ｅ、紙送りを行う「紙送り」キー４ｆ、画面の焼き付きを防止するためにＬＣＤ３をオフする「待機」キー４ｇ、パック数を設定するときの操作する「枚数」キー４ｈ、品番を呼び出すときに操作する「品番」キー４ｉが設けられている。
【００１６】
次に、図３を参照して電子料金秤のシステム構成図について説明する。図において、１１は本電子料金秤には、図８及び図９のフローチャートに示すような各種プログラムが記憶されているフラッシュＲＯＭ（リード・オンリ・メモリ）１２、図４に示すＰＬＵファイル１３ａ、図５に示す税テーブルの他各種作業エリア１３ｂが設定されるＲＡＭ（ランダム・アクセス・メモリ）１３、前述したロードセルユニット６からの重量データを取り込む秤インタフェース１４、外部のホストコンピュータが接続される通信インタフェース１５、前述したキーボード４からの操作信号及び表示部２のタッチパネルからの操作信号を取り込むキーコントローラ１８、各種設定画面表示を行うＬＣＤ（液晶表示装置）への表示制御及びＬＥＤ３の点灯制御を行う表示コントローラ１９、ラベル発行を行うプリンタ２０の印字制御を行うプリンタエンジン２１、透過、反射、温度等の各種センサ２２とのデータの受け渡しを行うＩ／Ｏポート２３がシステムバス２４に接続されている。
【００１７】
次に、図４を参照してＰＬＵファイル１３ａの構成について説明する。図に示すように、ＰＬＵファイル１３ａは、商品番号毎に商品名、単価種別、税テーブル、ＪＡＮコード等を記憶している。例えば、商品番号「２」には、商品名「ポテトサラダ」、単価種別「計量」、単価「２００円」、税テーブル「１」を示すデータが記憶されている。
【００１８】
税テーブル１３ｂは図５に示すように、税テーブル番号毎に税種別、丸め誤差、税率を記憶している。
【００１９】
例えば、図４の商品番号「２」の商品の税区分は「１」であったが、この税テーブル１３ｂを参照すれば、この商品番号「２」の商品は「税種別」が内税で、「丸め誤差」が切り捨てで、「税率」が５％であることが分かる。
【００２０】
次に、上記のように構成された本発明の一実施の形態について図７及び図８のフローチャートを参照しながら説明する。まず、商品登録（ラベル発行）モードを設定し、商品番号「２」の「ポテトサラダ」のＰＬＵ呼び出し画面（図６）を呼び出す。これは、ポテトサラダの商品番号「２」と「品番」キー４ｉを操作することにより行われる。ここで、商品名「ポテトサラダ」は内税であるため、ＰＬＵファイル１３ａには税抜き価格「２００円」が設定されている。従って、図６に示すように呼び出されたときには、単価が２１０円として単価表示領域５１に表示される。つまり、２００×１．０５＝２１０とされる。このとき、価格「２１０円」は黒色で表示されている。また、商品の重量が「１００ｇ」であれば、図１１に示すように全て通常の表示状態である黒色で表示される。
【００２１】
以降、一例として、商品名「ポテトサラダ」の税抜き単価を「２００円」→「１８０円」に変更する場合について説明する。この場合には、キーボード４から置数「１」「８」「０」
を入力する。
【００２２】
以降、図７及び図８のフローチャートを参照しながら、単価を変更する際の動作について説明する。まず、単価変更数値入力が有るかが判定される（ステップＳ１）。つまり単価表示領域５１に置数が入力されたかが判定される。本電子料金秤は、商品登録（ラベル発行）モードにおいて、キーボード４から入力された置数は全て単価表示領域５１に表示される。
【００２３】
このようにキーボード４から置数が入力されたので、このステップＳ１の判定で「ＹＥＳ」と判定される。
【００２４】
次に、呼び出したＰＬＵの商品の税区分は内税であるかが判定される（ステップＳ２）。図４のＰＬＵファイル１３ａと税テーブル１３ｂを参照すると、商品名「ポテトサラダ」の税種別は内税であることが判定される。従って、ステップＳ２において「ＹＥＳ」と判定される。
【００２５】
そして、図１１に示すように入力された置数「１８０」が通常の表示状態とは異なる赤で単価表示領域５１に表示される（ステップＳ３）。つまり、単価表示領域５１に表示された単価が税抜き単価であることを赤色で表示することにより示している。また、図１１に示すように値段表示領域５２も税抜き価格となっている。なお、５０は重量が表示される重量表示領域であり、領域５０〜５２により表示手段が構成されている。
【００２６】
次に、単価表示領域５１に税込み単価を表示するために、変更確定キーである「総額」キー５３を操作する。
【００２７】
この操作により、変更確定キー入力有りかの判定（ステップＳ４）において、「ＹＥＳ」と判定される。この結果、税抜き単価「１８０」に対する税込み価格が計算される。つまり、１８０×１．０５＝１８９円が算出される。従って、図１２に示すように税込み単価「１８９」が単価表示領域５１に通常の表示状態である黒色で表示される。また、重量表示領域５０に１００ｇが設定されていれば、単価と重量が乗算されることにより値段表示領域５２には「１８９」が表示される（ステップＳ５）。
【００２８】
次に、キーボード４のラベルを発行させる「発行」キー４ｂが操作される（ステップＳ６）。このように、「発行」キー４ｂが操作されると、単価表示領域５１に表示されている数値が黒表示であるかか判定される（ステップＳ７）。ここで、単価表示領域５１に表示されている数値が通常の表示状態である黒表示であるということは、その数値が税込み単価であることを意味するものである。
【００２９】
このステップＳ７で「ＹＥＳ」と判定されると、プリンタユニット２０で商品名、単価、重量、値段などが印字されたラベルがラベル発行口５から排出される。
【００３０】
ところで、数値入力を行った後に、「発行」キー４ｂが操作されない場合には、ステップＳ４の判定で「ＮＯ」と判定され、各設定キーが入力されたかが判定される（ステップＳ９）。ここで、各設定キーとは風設キーや品番キー等のキーである。
【００３１】
ここで、ステップＳ９において「ＹＥＳ」と判定されると風設キーや品番キーに対する各設定処理が行われる（ステップＳ１０）。つまり、ステップＳ９において、風設キーが押されると赤で表示されている数値「１８０」は風袋領域５４に移動される。また、品番キーが押されると、商品番号「１８０」に対応する商品情報がＰＬＵ１３ａから呼び出される。そして、赤で表示されていた「１８０」の前に表示されていた数値「２００」に価格表示領域５１の表示が戻される（ステップＳ１１）。つまり、キーボード４から置数を入力した場合には、その商品が内税であれば赤い表示で入力された数値が表示単価領域５１に表示される。これにより、オペレータに単価表示領域５１に表示されている単価は税抜きであることを視認させることができる。
【００３２】
一方、キーボード４から数値が入力された後、「発行」キー４ｂ以外の設定キーが操作された場合には、その入力された数値は単価変更の数値ではないので、単価表示領域５１に赤表示していた数値から、この操作された設定キーと数値とに応じた処理を行った後に、単価表示領域５１に赤で表示されていた以前の、すなわち、通常の表示状態である黒表示での数値「２００」に戻す処理が行なわれる。
【００３３】
ところで、オペレータが単価変更するつもりで、キーボード４から「１８０」を入力した後に、「総額」キー５３を操作し忘れた状態で、「発行」キー４ｂを操作すると、価格表示領域５１の表示は黒表示ではないため、ステップＳ７の判定で「ＮＯ」と判定され、図１３に示すようにエラー表示がなされる（ステップＳ１２）。このエラー表示によりオペレータが「総額」キー５３を押すように促すことができる。
【００３４】
ところで、ステップＳ２の判定で「ＮＯ」と判定された場合、商品の単価が外税であると判定された場合には、その入力された数値がそのまま単価表示領域５１に黒表示される（ステップＳ１３）。
【００３５】
なお、上記した実施の形態では赤色表示したが、通常の表示状態とは異なる表示状態であれば、何でも良い。例えば、ブランキング表示したり、太文字表示させたり、これらを組み合わせて表示するようにしても良い。
【図面の簡単な説明】
【００３６】
【図１】本発明の一実施の形態に係わる電子料金秤の斜視図。
【図２】同実施の形態に係わるキーボードの平面図。
【図３】同実施の形態に係わる電子料金秤のシステム構成を示すブロック図。
【図４】同実施の形態に係わるＰＬＵファイルの構成を示す図。
【図５】同実施の形態に係わる税テーブルの構成を示す図。
【図６】同実施の形態に係わる登録画面を示す図。
【図７】同実施の形態の動作を説明するためのフローチャートの一部。
【図８】同実施の形態の動作を説明するためのフローチャートの一部。
【図９】同実施の形態に係わる価格変更のキー操作を説明するための図。
【図１０】同実施の形態に係わる表示部の表示状態を説明するための図。
【図１１】同実施の形態に係わる表示部の表示状態を説明するための図。
【図１２】同実施の形態に係わる表示部の表示状態を説明するための図。
【図１３】同実施の形態に係わる表示部の表示状態を説明するための図。
【符号の説明】
【００３７】
１…電子料金秤、２…表示部、３…ＬＥＤ、４…キーボード、５…ラベル発行口、
６…ロードセルユニット。
【図１】
0004373243.tif 000002
【図２】
0004373243.tif 000003
【図３】
0004373243.tif 000004
【図４】
0004373243.tif 000005
【図５】
0004373243.tif 000006
【図６】
0004373243.tif 000007
【図７】
0004373243.tif 000008
【図８】
0004373243.tif 000009
【図９】
0004373243.tif 000010
【図１０】
0004373243.tif 000011
【図１１】
0004373243.tif 000012
【図１２】
0004373243.tif 000013
【図１３】
0004373243.tif 000014